(57)【特許請求の範囲】
【請求項１】
上端に大径開口部を、接続端に小径開口部を有する中空錐体形状の本体と、
被接続端が該接続端の小径開口部に接続し、下端に小径の注出口を有する中空の注出筒と、
を含み、
前記中空錐体形状の本体側面に、該本体側面の前記上端から前記接続端方向に延伸させた少なくとも一本の挿入スリットを有する詰替え用漏斗であって、
前記中空の注出筒の下端付近において、該注出筒の周囲に重りを取付けた、詰替え用漏斗。
【請求項２】
前記中空錐体形状の本体側面に、該本体側面の前記上端又は上端近傍から前記接続端方向に延伸させた複数の挿入スリットを有する請求項１に記載の詰替え用漏斗。
【請求項３】
前記中空錐体形状の本体側面の対向する位置に少なくとも一対の挿入スリットを有し、該一対の挿入スリットの少なくとも一方の挿入スリットは、該本体側面の前記上端から前記接続端方向に延伸させた、請求項１または２に記載の詰替え用漏斗。
【請求項４】
前記中空錐体形状の本体側面の対向する位置に少なくとも一対の挿入スリットを有する請求項３に記載の詰替え用漏斗であって、
一方の挿入スリットは該本体側面の前記上端から前記接続端近傍まで延伸させ、
他方の挿入スリットは該本体側面の前記上端近傍から前記接続端近傍まで延伸させた、一対の挿入スリットを有する詰替え用漏斗。
【請求項５】
前記中空錐体形状の本体は中空楕円錐体形状である、請求項１乃至４のいずれか１項に記載の詰替え用漏斗。
【請求項６】
前記中空錐体形状の本体は中空多角錐体形状である、請求項１乃至４のいずれか１項に記載の詰替え用漏斗。
【請求項７】
前記中空錐体形状の本体は、平面視において扇形の弧の両端を直線で結んだ形状を有する中空錐体形状であり、該扇形の弧の該両端近傍の対向する位置に、該本体側面の前記上端から前記接続端方向に延伸させた一対の挿入スリットを有する、請求項１に記載の詰替え用漏斗。
【請求項８】
前記中空錐体形状の本体と前記注出筒とは、前記接続端と前記被接続端において滑らかに接続されている、請求項１乃至７のいずれか１項に記載の詰替え用漏斗。
【請求項９】
前記挿入スリットの下端から上端までスライド可能なストッパーを、前記中空錐体状の本体側面の挿入スリットに嵌合した、請求項１乃至８のいずれか１項に記載の詰替え用漏斗。
【請求項１０】
前記中空の注出筒の被接続端と下端間の側面に排出口を設けた、請求項１乃至９のいずれか１項に記載の詰替え用漏斗。
【請求項１１】
前記中空錐体形状の本体の前記大径開口部の上端上方に、中空の支持壁を接続させ、該中空の支持壁の側面の上端または上端近傍まで前記一対の挿入スリットを延伸させた、請求項１乃至１０のいずれか１項に記載の詰替え用漏斗。
【請求項１２】
前記中空錐体形状の本体の前記大径開口部の上端周囲に、外周方向に延伸したツバを設け、前記一対の挿入スリットの少なくとも一方の挿入スリットを該ツバの外縁まで延伸させた、請求項１乃至１１のいずれか１項に記載の詰替え用漏斗。
【請求項１３】
前記詰替え用漏斗を、前記大径開口部の上端から注出筒の下端まで切断して複数の漏斗片に分解し、接続手段により該複数の漏斗片を組み立てて復元し得る、請求項１乃至１２のいずれか１項に記載の詰替え用漏斗。
【請求項１４】
前記接続手段は、前記スライド可能なストッパーである、請求項１３に記載の詰替え用漏斗。
【発明の詳細な説明】
【技術分野】
【０００１】
本発明は、シャンプー、トリートメントや洗剤などの詰替え用パックから内容物をプラスチックボトル等の本体容器に漏れなく移し変える為に用いる詰替え用漏斗に関する。
【背景技術】
【０００２】
近年、プラスチックゴミ問題や省資源の観点から、プラスチックボトル等の本体容器に充填するシャンプー、トリートメント、ボディーシャンプーや洗剤、醤油などの内容物を、詰替え用としてスタンディングパウチやガゼット袋等の詰替え用パックに入れて販売する流通形態が普及している。
【０００３】
消費者は、プラスチックボトル等の本体容器の内容物を使い切った後、空になった本体容器に、別途購入した詰替え用パックから上記内容物を詰め替えるだけでよいので、エコ対策や低コスト化を図ることができる。
【０００４】
しかし、（１）詰替え用パックから本体容器に内容物を詰め替える際、内容物を本体容器の開口にうまく注出することが難しく、内容物を溢してしまい、かなりの内容物を無駄にしてしまうケースが多かった。また、（２）詰替え用パックの内容物を残さず本体容器に移し替えることは非常に難しく、消費者に「もったいない感」や不満感を与えていた。
【０００５】
上記（１）および（２）の問題を解決するために、特許文献１では、「可撓性のシート材料からなる袋本体と該袋本体に接合された注出口とからなる注出口付き詰め替え用袋において、注出口が漏斗状であることを特徴とする詰め替え用袋」が開示されている。特許文献１の発明によれば、スタンディングパウチ等の詰め替え用袋から所定の容器へ内容物の詰め替えを行うにあたり、液体の他、任意の紛体を内容物とする場合でも、内容物が詰め替え用袋に残留することなく、粉塵を周囲に飛散させることなく、容易に詰め替えを行うことができる。
【０００６】
しかし、現在流通している大多数の詰替え用パックは、図１０（ａ）のように、正面視が長方形状のスタンディングパウチ１１０等であって、単純に長方形状の上端の角を切り取って注出口を形成するタイプのものであり、特許文献１に記載の詰め替え用袋を採用すると高コスト化は否めない。したがって、現在流通している図１０（ａ）のような詰替え用パックに対応した、上述の問題点（１）および（２）の解決策が望まれる。
【０００７】
特許文献２には、液体等の詰め替えが簡単で、持ち運びや収容に便利な組立式漏斗が開示されているが、香水等の少量の液体の詰め替えに便利ではあるものの、液体洗剤のように数百ｍＬもの液体の詰め替えに適したものとはいえない。
【０００８】
そこで、特許文献３では、「上端に大径開口部、下端に小径開口部を備えた中空多角錐形状の漏斗であって、平坦に折り畳むことができ、該漏斗を、大径開口部及び小径開口部を広げた状態で装着容器の口部に挿入した場合に、装着容器と漏斗とが３点以上の複数点で接触し、装着容器と漏斗との間に空気置換経路を確保したことを特徴とする詰替用漏斗」が提供されている。
【０００９】
特許文献３の発明は、「装着容器と漏斗とが３点以上の複数点で接触する」との記載からも分かるように、漏斗を装着容器の開口部に装着させて、詰替え用パックを手で持ってその内容物を漏斗を介して装着容器内に注出させるものである。したがって、開口部の径が狭い装着容器にスムーズに内容物を詰め替えることができ、しかもコンパクトに折り畳めて収納・携帯性に富んでいるが、上記（２）の課題を解決することは困難である。
【００１０】
【特許文献１】特開平１０−２０３５４２号公報
【特許文献２】特開２００４−２７７０１４号公報
【特許文献３】特開２００９−２８６４１３号公報
【発明の概要】
【発明が解決しようとする課題】
【００１１】
すなわち、上記特許文献２および３の発明は、プラスチックボトル等の開口部の径が小さな本体容器に詰替え用パックの内容物を溢さず移し替えるには適しているが、詰替え用パックに内容物を残さず移し変えることは困難である。
【００１２】
そこで本発明は、シャンプー、トリートメントや洗剤、醤油などの内容物を収容した詰替え用パックから、その内容物をプラスチックボトル等の本体容器に詰替える際に、内容物を詰替え用パックに残すことなく詰め替えることができる詰替え用漏斗を提供することを目的とする。
【課題を解決するための手段】
【００１３】
本発明に係る詰替え用漏斗は、上端に大径開口部を、接続端に小径開口部を有する中空錐体形状の本体と、被接続端が該接続端の小径開口部に接続し、下端に小径の注出口を有する中空の注出筒と、を含む詰替え用漏斗であって、前記中空錐体形状の本体側面に、該本体の前記上端から前記接続端方向に延伸させた少なくとも一本の挿入スリットを有する。
【００１４】
本発明に係る詰替え用漏斗は、前記中空錐体形状の本体側面に、該本体側面の前記上端又は上端近傍から前記接続端方向に延伸させた複数の挿入スリットを有し得る。
【００１５】
本発明に係る詰替え用漏斗は、前記中空錐体形状の本体側面の対向する位置に少なくとも一対の挿入スリットを有し、該一対の挿入スリットの少なくとも一方の挿入スリットは、該本体側面の前記上端から前記接続端方向に延伸させる。したがって、前記中空錐体形状の本体側面の対向する位置に、一方の挿入スリットは該本体側面の前記上端から前記接続端近傍まで延伸させ、他方の挿入スリットは該本体側面の前記上端近傍、すなわち上端より下方の位置から前記接続端近傍まで延伸させた、一対の挿入スリットを有してもよい。
【００１６】
なお、本明細書において「中空錐体形状」とは、正面視ないし側面視において、上記上端の大径開口部と接続端の小径開口部とを直線状に接続する通常の錐体形状のみでなく、上記上端と接続端とを曲線で接続する、例えばお椀型やワイングラス型の形状をも含むものとする。上記上端の大径開口部と接続端の小径開口部は楕円、円、半円、多角形、半多角形など任意であり、特にその形状は限定されない。
【００１７】
また、前記注出筒の水平断面形状（平面視における形状）も上記接続端の小径開口部の形状に対応して、楕円、円、半円、多角形、半多角形など任意の形状を取り得、該注出筒の垂直断面形状（側面視における形状）は長方形のみならず、台形、あるいは曲線を含む形状など、様々な形状を取り得るものとする。したがって、前記注出筒は、例えば、中空円柱を縦に半分に切断した、中空円筒内部の露出した形状であってもよい。
【００１８】
したがって、本発明に係る詰替え用漏斗は、例えば前記中空錐体形状の本体は中空楕円錐体形状であったり、中空多角錐体形状であったりしてもよい。
【００１９】
本発明に係る詰替え用漏斗は、前記中空錐体形状の本体は、平面視において扇形の弧の両端を直線で結んだ形状を有する中空錐体形状であり、該扇形の弧の該両端近傍の対向する位置に、該本体側面の前記上端から前記接続端方向に延伸させた一対の挿入スリットを有してもよい。
【００２０】
本発明に係る詰替え用漏斗は、前記中空錐体形状の本体と前記注出筒とは、前記接続端と前記被接続端において滑らかに接続されていてもよい。
【００２１】
本発明に係る詰替え用漏斗は、前記挿入スリットの下端から上端までスライド可能なストッパーを、前記中空錐体状の本体側面の挿入スリットに嵌合するのが好ましい。
【００２２】
本発明に係る詰替え用漏斗は、前記中空の注出筒の下端付近において、該注出筒の周囲に重りを取付けてもよい。また、前記中空の注出筒の被接続端と下端間の側面に排出口を設けてもよい。
【００２３】
本発明に係る詰替え用漏斗は、前記中空錐体形状の本体開き角を４５度以下とするのが望ましい。ここで本体開き角θとは、上端に大径開口部を、接続端に小径開口部を有する中空錐体形状の本体の側部に設けた複数の挿入スリットから任意のペアを選択し、当該ペアの挿入スリットを上端から接続端方向に延長して成す角のうち最大となる角をいうものとする。
【００２４】
本発明に係る詰替え用漏斗は、前記中空錐体形状の本体の前記大径開口部の上端上方に、中空の支持壁を接続させ、該中空の支持壁の側面の上端または上端近傍まで前記一対の挿入スリットを延伸させてもよい。
【００２５】
本発明に係る詰替え用漏斗は、前記中空錐体形状の本体の前記大径開口部の上端周囲に、外周方向に延伸したツバを設け、前記一対の挿入スリットの少なくとも一方の挿入スリットを該ツバの外縁まで延伸させてもよい。
【００２６】
本発明に係る詰替え用漏斗は、上記詰替え用漏斗を、前記大径開口部の上端から注出筒の下端まで切断して複数の漏斗片に分解し、接続手段により該複数の漏斗片を組み立てて復元し得る組み立て式の詰替え用漏斗であってもよい。上記接続手段は、前記スライド可能なストッパーであり得る。
【００２７】
本発明に係る詰替え用漏斗は、上端に大径開口部を、接続端に小径開口部を有する本体からなる折畳み式詰替え用漏斗であって、前記本体は、略同一形状の２枚の三角形片が折れ線部を介して重合可能であり、前記折れ線部に沿って、上端から挿入スリットが設けられており、一方の前記三角形片の、前記折れ線部と対向する辺の縁部に設けた係止スリットに、他方の前記三角形片の、前記折れ線部と対向する辺の縁部に設けた係止突起を係止させて組立可能である。
【００２８】
本発明に係る折畳み式詰替え用漏斗は、被接続端が該接続端の小径開口部に接続した導出部を設けてもよい。
【発明の効果】
【００２９】
本発明に係る詰替え用漏斗は、シャンプー、トリートメントや洗剤、醤油などの内容物を収容した詰替え用パックから、その内容物をプラスチックボトル等の本体容器に詰替える際に、内容物を詰替え用パックに残すことなく詰め替えることができる。例えば、詰替え用パックから本体容器に通常の手を用いる手段で内容物を移し替えた後、内容物が乏しくなって薄く軽くなった詰替え用パックを本発明の詰替え用漏斗の挿入スリットに挿入し、詰替え用漏斗の注出筒を本体容器の開口部に差し込んで本体容器上に載置すれば、一定時間（例えば就寝時間）詰替え用パック、本発明の詰替え用漏斗および本体容器を一体化して放置しておくだけで、詰替え用パックの内容物を殆ど残らず本体容器内に詰替えることができる。
【００３０】
本発明に係る詰替え用漏斗は、中空錐体形状の本体側面に、本体の上端から接続端方向まで延伸させた少なくとも一本の挿入スリットを有するので、詰替え用パックを当該挿入スリットの上端から挿入することができる。
【００３１】
実用上、中空錐体形状の本体側面の対向する位置に、本体側面の上端から接続端近傍まで延伸させた少なくとも一対の挿入スリットを有するのが好ましいが、上記一対の挿入スリットのうち、一方の挿入スリットは本体側面の上端近傍、すなわち上端より下方の位置から前記接続端近傍まで延伸させてもよい。このようにしても、詰替え用パックを一方の挿入スリットの上端から挿入し、他方の上端近傍から延伸する挿入スリットに詰替え用パックの一部を差し込んで、詰替え用パックを本発明の詰替え用漏斗上に固定することができる。なお、詰替え用パックは長方形状である場合が殆どなので、中空錐体形状の本体開き角が４５度以下とすることによって、詰替え用パックを一対の挿入スリットに安定して挿入することができる。
【００３２】
本発明の詰替え用漏斗は、中空錐体形状の本体は中空楕円錐体形状であったり、中空多角錐体形状であったりしてもよいが、本体断面において一対の挿入スリットを両端として形成される平面に接近した平面を有する形状であるのが好ましい。例えば、本体を、平面視において扇形の弧の両端を直線で結んだ形状を有する中空錐体形状とし、当該扇形の弧の両端近傍の対向する位置に、本体側面の上端から接続端方向に一対の挿入スリットを延伸させた形状とすると、上記平面視における直線に対応する平面に詰替え用パックがもたれ掛ることができ、詰替え用漏斗に挿入した詰替え用パックを安定姿勢に保持することができる。
【００３３】
また、本発明の詰替え用漏斗は、挿入スリットの下端から上端までスライド可能なストッパーを中空錐体状の本体側面の挿入スリットに嵌合させ、挿入スリットに挿入した詰替え用パックを上記ストッパーで支持すれば、詰替え用漏斗に挿入した詰替え用パックを安定姿勢に保持することができる。
【００３４】
さらに、本発明に係る詰替え用漏斗は、中空の注出筒の下端付近において当該注出筒の周囲に重りを取付けることによって、あるいは、注出筒自体を重い材料で形成することによって、詰替え用漏斗をプラスチックボトル等の本体容器に差し込んだ際に安定させることができる。中空の注出筒の被接続端と下端間の側面に排出口を設ければ、内容物を効率的に本体容器中に移し替えることができる。
【００３５】
本発明に係る詰替え用漏斗は、中空錐体形状の本体の大径開口部の上端上方に、中空の支持壁を接続させ、中空の支持壁の側面の上端または上端近傍まで一対の挿入スリットを延伸させてもよい。このように支持壁を設けることによって、挿入スリットに挿入した詰替え用パックを支持壁にもたれ掛けさせることができ、詰替え用パックを安定姿勢に維持することができる。あるいは、中空錐体形状の本体の大径開口部の上端周囲に外周方向に延伸したツバを設け、当該ツバの外縁まで一対の挿入スリットの少なくとも一方を延伸させることにより、詰替え用漏斗自身の安定性を高めると共に、挿入スリットに挿入した詰替え用パックの安定性も高めることができる。
【００３６】
本発明に係る詰替え用漏斗は、大径開口部の上端から注出筒の下端まで切断して複数の漏斗片に分解可能で、上記スライド可能なストッパー等によりそれらの複数の漏斗片を組み立てて復元し得る組み立て式の詰替え用漏斗であってもよい。このように分解可能で組み立て式の詰替え用漏斗とすることによって、不使用時にコンパクトにまとめて収納しておくことができる。
【００３７】
本発明に係る折畳み式の詰替え用漏斗は、非使用時には２枚の三角形片を重合して折り畳んでおくことができ、使用時に組み立てることができるので、不使用時にコンパクトにまとめて収納可能で、携帯にも便利である。シャンプー等の詰替え用パックに付属品として添えることもできる。
【図面の簡単な説明】
【００３８】
【図１】（ａ）本発明に係る詰替え用漏斗の斜視図。（ｂ）、（ｃ）、（ｄ）、（ｅ）、（ｆ）、（ｇ）本発明に係るその他の態様の詰替え用漏斗の斜視図。
【図２】本体が中空円錐形状である、本発明に係る詰替え用漏斗の斜視図。
【図３】（ａ）本発明に係る詰替え用漏斗の使用態様を説明する模式図。（ｂ）（ａ）とは別角度から見た、本発明に係る詰替え用漏斗の使用態様を説明する模式図。
【図４】（ａ）詰替え用パックを装着した本発明に係る詰替え用漏斗を、本体容器に載置して内容物を移し替える際の模式図。（ｂ）別タイプの詰替え用パックを装着した本発明に係る詰替え用漏斗を、本体容器に載置して内容物を移し替える際の模式図。
【図５】本体が中空四角錐形状であり、注出筒の側面に排出口を設けた、本発明に係る詰替え用漏斗の斜視図。
【図６】（ａ）一方の挿入スリットが上端近傍から延伸した一対の挿入スリットを持つ、本発明に係る詰替え用漏斗。（ｂ）詰替え用パックを、（ａ）に示す詰替え用漏斗の一対の挿入スリットに差し込んだ際の斜視図。
【図７】本体の大径開口部の上端周囲に、外周方向に延伸したツバを設けた、本発明に係る詰替え用漏斗の斜視図。
【図８】本体と注出筒とが滑らかに接続された、本発明に係る詰替え用漏斗の斜視図。
【図９】大径開口部の上端から注出筒の下端まで切断して複数の漏斗片に分解可能な、組立式の本発明に係る詰替え用漏斗の斜視図。
【図１０】（ａ）詰替え用パックの正面図。（ｂ）詰替え用パックの側面図。
【図１１】（ａ）詰替え用パックの正面図。（ｂ）詰替え用パックの側面図。
【図１２】（ａ）折畳んだ状態の詰替え用漏斗の斜視図。（ｂ）組み立てた状態の詰替え用漏斗の斜視図。
【図１３】（ａ）折畳んだ状態の詰替え用漏斗の斜視図。（ｂ）組み立てた状態の詰替え用漏斗の斜視図。
【発明を実施するための形態】
【００３９】
以下、図面を参照しながら本発明に係る詰替え用漏斗の実施形態について説明する。なお、以下各図面を通して同一の構成要素には同一の符号を使用するものとする。
【００４０】
図１（ａ）に示すように、本発明に係る詰替え用漏斗１は、上端１２に大径開口部を、接続端１４に小径開口部を有する中空錐体形状の本体１０と、被接続端５２が接続端１４の小径開口部に接続し、下端５４に小径の注出口を有する中空の注出筒５０と、を含む詰替え用漏斗１であって、中空錐体形状の本体１０側面に、本体１０の上端１２から接続端１４方向に延伸させた少なくとも一本の挿入スリット１６を有する。
【００４１】
図１（ｂ）のように、詰替え用漏斗１は、中空錐体形状の本体１０側面に、本体１０側面の上端１２又は上端１２近傍から接続端１４方向に延伸させた複数の挿入スリット１６を有してもよい。図１（ｂ）において、手前の挿入スリット１６が、上端１２近傍から接続端１４方向に延伸させた挿入スリット１６を表す。
【００４２】
本発明に係る詰替え用漏斗１の最良の形態は、中空錐体形状の本体１０側面の対向する位置に少なくとも一対の挿入スリット１６・１６を有し、当該一対の挿入スリット１６・１６の少なくとも一方の挿入スリット１６は、本体１０側面の上端１２から接続端１４方向に延伸させた形態である。
【００４３】
例えば図２を参照すると、本発明に係る詰替え用漏斗１は、上端１２に大径開口部を、接続端１４に小径開口部を有する中空錐体形状の本体１０と、被接続端５２が当該接続端１４の小径開口部に接続し、下端５４に小径の注出口を有する中空の注出筒５０と、を含む詰替え用漏斗１であって、中空錐体形状の本体１０側面の対向する位置に、本体１０側面の上端１２から接続端１４近傍まで延伸させた一対の挿入スリット１６・１６を有する。
【００４４】
なお、詰替え用漏斗１は、図１（ｃ）のように、中空錐体形状の本体１０側面の対向する位置に、一方の挿入スリット１６は本体１０側面の上端１２から接続端１４近傍まで延伸させ、他方の挿入スリット１６は本体１０側面の上端１２近傍、すなわち上端１２より下方の位置から接続端１４近傍まで延伸させた、一対の挿入スリット１６・１６を有する形態も取り得るが、以下、図２のように、一対の挿入スリットが本体１０側面の上端１２から接続端１４近傍まで延伸する形態を主に用いて説明する。
【００４５】
図２における詰替え用漏斗１の中空錐体形状の本体１０は円錐形状であるが、中空楕円錐体形状であっても、あるいは中空多角錐体形状であってもよい。上記のように、「中空錐体形状」とは、上記上端の大径開口部と接続端の小径開口部とを直線状に接続する通常の錐体形状のみでなく、上記上端と接続端とを曲線で接続する、例えば図１（ｄ）のようなお椀型やワイングラス型の形状をも含むものとする。あるいは、本発明に係る詰替え用漏斗１は図１（ｅ）、（ｆ）のように、底部が「中空錐体形状」であって、当該「中空錐体形状」の本体１０の大径開口部の上端１２上方に、中空の支持壁２０を設け、当該中空の支持壁２０の側面の上端まで上記一対の挿入スリット１６・１６を延伸させた形状であってもよい。
【００４６】
また、詰替え用漏斗１の材料は、プラスチックでも金属でもよく、撥水性の厚紙で形成してもよく、特に限定されない。本体１０と注出筒５０の材料が異なっていてもよい。
【００４７】
本体１０の接続端１４と注出筒５０の被接続端５２の接続は、少なくともその接続部の内部において連続になされており、本体１０の内面を伝わる液体等がスムーズに注出筒５０の内部に伝わるように接続される。したがって、本体１０の接続端１４の小径開口部の内径と注出筒５０の被接続端５２の内径は等しいのが望ましい。
【００４８】
また、注出筒５０の水平断面形状（平面視における形状）は楕円、円、半円、多角形、半多角形など任意であり、該注出筒の垂直断面形状（正面または側面視における形状）は図１（ａ）、（ｃ）のような長方形のみならず、図１（ｂ）、（ｄ）のように、下底を被接続端５２から注出口５４に至る直線とし上底を被接続端５２から下端（注出口）５４に至る直線の一部とする台形であってもよく、あるいは図１（ｇ）のように、曲線を含む形状など、様々な形状を取り得るものとする。すなわち、中空の注出筒５０は、上述のように下端５４に小径の注出口を有するが、下端５４の切り口の形状は、図２のように正面視で被接続端５２と平行でもよいが、斜めにカットされていてもよく、あるいは波状の形状でもよく、特に限定されない。また、注出筒５０の被接続端５２の内径と下端５４の注出口の内径とは、同径である必要はない。
【００４９】
また、中空の注出筒５０の下端５４付近において、注出筒５０の周囲に重り５８を取付けて、プラスチックボトル等の本体容器に差し込んだ際に詰替え用漏斗１が安定するようにしてもよい。あるいは、注出筒５０自身を重い材料で形成し、本体１０と接続してもよい。
【００５０】
さらに、中空の注出筒５０の被接続端５２と下端５４間の側面に排出口５６を設けて、詰替え用漏斗１の注出筒５０を差し込んだ上記本体容器に、詰替え用パックの内容物がより流れ出易くしてもよい。排出口５６は注出筒５０の側面に設けられた一又は複数の穴でもよいし、注出筒５０の側面の被接続端５２付近から下端５４付近に延伸する一又は複数のスリットであってもよい。
【００５１】
上記のように、挿入スリット１６は、中空錐体形状の本体１０側面の対向する位置に、本体１０側面の上端１２から接続端１４近傍まで延伸している。さらに、挿入スリット１６は、注出筒５０の下端５４の注出口まで延伸されていてもよい。図２においては、中空円錐形状の本体１０側面の対向する位置に、２本の対の挿入スリット１６が設けられているが、挿入スリット１６は一対である必要はなく、２対以上の挿入スリット１６がそれぞれ本体１０側面の対向する位置に設けられてもよい。
【００５２】
挿入スリット１６は、例えば１〜２ｍｍの幅をもっても良いが、本体１０側面の対向する位置に入れた単なる切れ込みであってもよい。また、対向する一対の挿入スリット１６・１６の本体１０側面の上端１２から接続端１４方向に至る長さは必ずしも一致する必要はなく、本体１０の上端１２から図１０（ｂ）、図１１（ｂ）のような薄幅のスタンディングパウチ１１０、１２０を挿入できれば、長さは不揃いであってもよい。
【００５３】
本発明に係る詰替え用漏斗１は、図３（ａ）、（ｂ）のように、詰替え用パック１００から、プラスチックボトル等の本体容器２００に、内容物を詰替え用パック１００に残すことなく移し変える際に便利である。
【００５４】
例えば、現在多く流通している詰替え用パック１００は、図１０（ａ）、（ｂ）に示すようなスタンディングパウチ１１０であり、本体１１２が可撓性の樹脂製シートを袋状に成型したものであり、その底部１１４に折り込みを設けることによりマチを設け、周縁部を接合することにより形成したものである。図１１（ａ）、（ｂ）に示すスタンディングパウチ１２０のように、上端部１２８を切断することにより上端中央に注出口１２６が形成されるタイプのものもあるが、現在では図１０（ａ）、（ｂ）のスタンディングパウチ１１０のように、本体１１２の上端角部１１８を切断することにより注出口１１６を形成するタイプが主流となっている。
【００５５】
図３（ａ）に示すように、まず、底部２１２を床に当接して載置した本体容器２００の開口２１４から、詰替え用漏斗１の下端５４の小径の注出口を挿入して、詰替え用漏斗１を本体容器２００上に載置する。次に、図３（ｂ）に示すように、詰替え用パック１００（スタンディングパウチ１１０）の側面が詰替え用漏斗１の本体１０の側部に設けた一対の挿入スリット１６・１６に沿うように、詰替え用パック１００を一対の挿入スリット１６・１６に挿入する。
【００５６】
上述のように、現在多く流通している詰替え用パック１００は、図１０（ａ）、（ｂ）に示すような長方形状のスタンディングパウチ１１０であり、上部角口が注出口１１６となっている場合が殆どなので、詰替え用漏斗１の本体開き角θは、４５度以下であることが望ましい。ここで本体開き角θとは、図１（ｇ）に示すように、上端１２に大径開口部を、接続端１４に小径開口部を有する中空錐体形状の本体１０の側部に設けた複数の挿入スリット１６から任意のペアを選択し、当該ペアの挿入スリット１６を上端１２から接続端１４方向に延長して成す角のうち最大となる角をいうものとする。
【００５７】
図４（ａ）は、上部角口が注出口１１６のスタンディングパウチ１１０を、詰替え用漏斗１の対向する一対の挿入スリット１６・１６に挿入した際の断面図である。スタンディングパウチ１１０の注出口１１６が、詰替え用漏斗１の本体１０と注出筒５０の接続部分（接続端１４および被接続端５２）の内径開口部に当接するか、あるいは内径開口部に挿入されるように、スタンディングパウチ１１０を一対の挿入スリット１６・１６に挿入するのが望ましい。
【００５８】
図４（ｂ）は、上端中央に注出口１２６形成されたスタンディングパウチ１２０を、詰替え用漏斗１の対向する一対の挿入スリット１６・１６に挿入した際の断面図である。上記スタンディングパウチ１１０と同様に、注出口１２６が、詰替え用漏斗１の本体１０と注出筒５０の接続部分の内径開口部に当接するか、あるいは内径開口部に挿入されるように、スタンディングパウチ１２０を一対の挿入スリット１６・１６に挿入するのが望ましい。
【００５９】
上述のスタンディングパウチ１１０、１２０のような詰替え用パック１００を一対の挿入スリット１６・１６に挿入した際に、詰替え用パック１００を詰替え用漏斗１上に安定して支持するために、挿入スリット１６の下端から上端までスライド可能なストッパー１８（図２参照）を中空錐体状の本体１０側面の挿入スリット１６に嵌合させておくのが好ましい。例えば、スタンディングパウチ１１０（詰替え用パック１００）の注出口１１６が、詰替え用漏斗１の本体１０と注出筒５０の接続部分の内径開口部に挿入された姿勢で、ストッパー１８をスライドさせてスタンディングパウチ１１０を支持するようにして、スタンディングパウチ１１０を安定姿勢に保つことができる。
【００６０】
以上のような、本発明に係る詰替え用漏斗１は、基本的には通常の漏斗を製造する方法により製造することができる。型を使用して生産してもよいが、既成の漏斗に上記説明のような挿入スリット１６を形成する方法で製造してもよい。市販の漏斗に、刃物により切れ込みを入れて挿入スリット１６を形成してもよい。
【実施例１】
【００６１】
図５は、上端１２に大径開口部を、接続端１４に小径開口部を有する中空四角錐形状の本体１０を有する詰替え用漏斗１である。中空四角錐形状の本体１０側面の対向する位置に、本体１０側面の上端１２から接続端１４近傍まで二対の挿入スリット１６が延伸している。図５において、手前の挿入スリット１６には、上記スライド可能なストッパー１８を嵌合させている。
【００６２】
被接続端５２が、本体１０の接続端１４の小径開口部に接続する注出筒５０も中空四角柱であり、注出筒５０の下端５４付近において、その周囲に重り５８を取付けて、プラスチックボトル等の本体容器に差し込んだ際に詰替え用漏斗１が安定するようにしている。
【００６３】
また、中空の注出筒５０の被接続端５２と下端５４間の側面に円形の排出口５６を複数設けて、詰替え用漏斗１の注出筒５０を差し込む本体容器に、詰替え用パックの内容物がより流れ出易くしている。
【実施例２】
【００６４】
図６（ａ）は、中空錐体形状の本体１０の大径開口部の上端１２上方に、中空の支持壁２０を設け、中空の支持壁２０の側面の上端および上端近傍まで一対の挿入スリット１６・１６を延伸させた詰替え用漏斗１を表す。図６（ａ）において、手前の挿入スリット１６は中空の支持壁２０の側面の上端近傍まで、背面側の挿入スリット１６は中空の支持壁２０の側面の上端まで、それぞれ中空錐体形状の本体１０の大径開口部の上端１２から延伸されている。
【００６５】
図６（ｂ）は、詰替え用パック１００を、上記詰替え用漏斗１の一対の挿入スリット１６・１６に差し込んだ際の斜視図である。背面側の挿入スリット１６から詰替え用パック１００を差し込み、手前の挿入スリット１６に詰替え用パック１００の一角を挿入して、詰替え用パック１００の注出口が、詰替え用漏斗１の本体１０と注出筒５０の接続部分（１４、５２）の内径開口部に当接するか、あるいは挿入されるようにすればよい。
【実施例３】
【００６６】
本発明に係る詰替え用漏斗１は、図７に示すように、中空錐体形状の本体１０の大径開口部の上端１２の周囲に、外周方向に延伸したツバ２２を設け、ツバ２２の外縁まで一対の挿入スリット１６・１６の少なくとも一方を延伸させてもよい。図７の例では、一対の挿入スリット１６・１６は、一方の挿入スリット１６のみがツバ２２の外縁まで延伸されているが、双方の挿入スリット１６が注出筒５０の下端５４の注出口まで延伸されている。
【００６７】
詰替え用パック１００を図７に示す詰替え用漏斗１の一対の挿入スリット１６・１６に挿入する方法は、上記実施例２と同様である。
【実施例４】
【００６８】
本発明に係る詰替え用漏斗１は、図８に示すように、中空錐体形状の本体１０は、平面視において扇形の弧の両端を直線で結んだ形状を有する中空錐体形状であり、当該扇形の弧の両端近傍の対向する位置に、本体１０側面の上端１２から接続端１４近傍まで延伸させた挿入スリット１６を有してもよい。
【００６９】
図８において、詰替え用漏斗１は、中空錐体形状の本体１０と注出筒５０とは、接続端１４と被接続端５２において滑らかに接続されており、本体１０と注出筒５０との境界は不明確である。
【００７０】
本実施例４のような形状とすれば、詰替え用パック１００を詰替え用漏斗１の一対の挿入スリット１６・１６に挿入した場合、扇形の弧の両端を直線で結んだ平面状の本体１０の部分（以下、「背面」という。）に詰替え用パック１００がもたれかかることができ、詰替え用パック１００の挿入時の姿勢を安定させることができる。
【００７１】
また、本実施例４の詰替え用漏斗１の背面には、一対の吸盤係止具２４を具えたので、ゴム製等の吸盤を吸盤係止具２４に嵌合させれば、詰替え用漏斗１を当該吸盤により壁などに容易に取り付けることができ、詰替え用パック１００を詰替え用漏斗１に挿入して放置したまま、内容物をプラスチックボトル等の本体容器に残さず移し替えることができる。
【実施例５】
【００７２】
本発明に係る詰替え用漏斗１は、図９に示すように組立式であってもよい。すなわち、図２に示すような詰替え用漏斗１を、大径開口部の上端１２から注出筒５０の下端５４まで切断して複数の漏斗片３０（３０ａ、３０ｂ）に分解し、接続手段により当該複数の漏斗片３０を組み立てて復元する。上記接続手段は、図２に示すようなスライド可能なストッパー１８であってもよい。
【００７３】
本実施例５のように、詰替え用漏斗１を組立式とすると、複数の漏斗片３０に分解できるので、収納に便利である。また、大径開口部の上端１２から注出筒の下端５４まで切断するため、注出筒５０の内表面が露出するので、汚れを落とすのに便利という利点がある。
【実施例６】
【００７４】
図１２（ａ）、（ｂ）に、本発明に係る折畳み式の詰替え用漏斗１’を示す。この詰替え用漏斗１’は、上端１２に大径開口部を、接続端１４に小径開口部を有する本体１０からなる折畳み式詰替え用漏斗１’であって、本体１０は、略同一形状の２枚の三角形片１０Ｒ、１０Ｌが折れ線部３２を介して折畳み可能であり、折れ線部３２に沿って、上端１２から挿入スリット１６が設けられており、一方の三角形片１０Ｌの、折れ線部３２と対向する辺の縁部に設けた係止スリット３４に、他方の三角形片１０Ｒの、折れ線部３２と対向する辺の縁部に設けた係止突起３５を係止させて組立可能とした。図１２（ａ）は折畳んだ状態の、図１２（ｂ）は組み立てた状態の詰替え用漏斗の斜視図を示す。
【００７５】
あるいは本発明の折畳み式の詰替え用漏斗１’は、図１３（ａ）、（ｂ）のように、導出部３８を三角形片１０Ｒ及び／又は１０Ｌの接続端１４に接続してもよい。本体容器２００の開口２１４に詰替え用漏斗１’の接続端１４を挿入した際、導出部３８により安定性を増すことができる。また、本体１０の組立時の本体開き角は４５度以下とするのが好ましい。
【００７６】
以上、本発明に係る詰替え用漏斗１の実施形態および実施例について説明したが、本発明は上記実施形態に限定されるものではない。本発明の詰替え用漏斗１の製造方法は任意
であり、例えば実施例５で説明した漏斗片を任意の接続具で組み立てるようにしてもよい。あるいは、本体と注出筒とが接続端と被接続端において滑らかに接続されるように、一体成型してもよい。
【００７７】
また、その構成材料も特に限定はされず、本体、注出筒、中空の支持壁はそれぞれ異なる材料から形成されていてもよい。注出筒は本体、中空の支持壁に比べて重い材料を用いるのが好ましい。
【００７８】
その他、本発明は、その主旨を逸脱しない範囲で当業者の知識に基づき種々の改良、修正、変更を加えた態様で実施できるものである。
【産業上の利用可能性】
【００７９】
本発明に係る詰替え用漏斗は、シャンプー、トリートメントや洗剤、醤油などの内容物を収容した詰替え用パックから、その内容物をプラスチックボトル等の本体容器に詰替える際に利用することが出来る。
【符号の説明】
【００８０】
１：詰替え用漏斗
１’：折畳み式の詰替え用漏斗
１０：本体
１０Ｌ、１０Ｒ：三角形片
１２：上端（大径開口部）
１４：接続端（小径開口部）
１６：挿入スリット
１８：ストッパー
２０：中空の支持壁
２２：ツバ
２４：吸盤係止具
３０、３０ａ、３０ｂ：漏斗片
３２：折れ線部
３４：係止スリット
３５：係止突起
３８：導出部
５０：（中空の）注出筒
５２：被接続端
５４：下端（注出口）
５６：排出口
５８：重り
１００：詰替え用パック
１１０、１２０：スタンディングパウチ
１１２、１２２：本体
１１４、１２４：底部
１１６、１２６：注出口
１１８：上端角部
１２８：上端部
２００：本体容器
２１０：本体
２１２：底部
２１４：開口
【図１】
0005634481.tif 000002
【図２】
0005634481.tif 000003
【図３】
0005634481.tif 000004
【図４】
0005634481.tif 000005
【図５】
0005634481.tif 000006
【図６】
0005634481.tif 000007
【図７】
0005634481.tif 000008
【図８】
0005634481.tif 000009
【図９】
0005634481.tif 000010
【図１０】
0005634481.tif 000011
【図１１】
0005634481.tif 000012
【図１２】
0005634481.tif 000013
【図１３】
0005634481.tif 000014